(57)【要約】本発明は、熱移動のために使用される少なくとも１つのヒートパイプ（２）と、純粋なアンモニアを飽和蒸気として室温で貯蔵することができる少なくとも１つのアンモニア管（３）と、アンモニア管（３）からヒートパイプ（２）にアンモニアを供給することを可能にし、ヒートパイプ（２）が取り外し可能に係合される少なくとも１つの供給ライン（４）と、供給ライン（４）上に配置され、アンモニアの流れを制御させる少なくとも１つの弁（５）と、供給ライン（４）上に配置され、封止制御を提供する少なくとも１つの検出器（６）と、ヒートパイプ（２）を加熱する少なくとも１つの加熱器（７）と、を含む充填システム（１）に関する。【選択図】図１
2021517228.tif 000002
【特許請求の範囲】
【請求項１】
熱移動のために使用される少なくとも１つのヒートパイプ（２）と、純粋なアンモニアを飽和蒸気として室温で貯蔵することができる少なくとも１つのアンモニア管（３）と、アンモニア管（３）からヒートパイプ（２）にアンモニアを供給することを可能にし、ヒートパイプ（２）が取り外し可能に係合される少なくとも１つの供給ライン（４）と、供給ライン（４）上に配置され、アンモニアの流れを制御させるする少なくとも１つの弁（５）と、供給ライン（４）上に配置され、封止制御を提供する少なくとも１つの検出器（６）と、ヒートパイプ（２）を加熱する少なくとも１つの加熱器（７）と、を含む充填システム（１）であって、基部（８）と、基部（８）から表面上に延びる少なくとも２つの壁（９）を有し、ヒートパイプ（２）がチャンバー（１０）内に置かれたときに、ヒートパイプ（２）が壁（９）の間にとどまり、加熱器（７）によりチャンバー（１０）内に熱が放射されたときに、加熱器（７）により壁（９）の内側によってヒートパイプ（２）に放射された熱を反射する、少なくとも１つのチャンバー（１０）を含むことを特徴とする、充填システム（１）。
【請求項２】
前記充填システム（１）が、前記チャンバー（１０）内に配置され、熱を反射することができる少なくとも１つの反射部材（１１）を含むことを特徴とする、請求項１に記載の充填システム（１）。
【請求項３】
前記充填システム（１）が、赤外線により加熱する加熱器（７）を含むことを特徴とする、請求項１又は請求項２に記載の充填システム（１）。
【請求項４】
前記充填システム（１）が、ヒートパイプ（２）を冷却したいときに、チャンバー（１０）の内部に位置し、ヒートパイプ（２）と接触して、ヒートパイプ（２）を冷却する少なくとも１つの冷却部材（１２）を含むことを特徴とする、先行請求項のいずれか一項に記載の充填システム（１）。
【請求項５】
前記充填システム（１）が、ドライアイスである冷却部材（１２）を含むことを特徴とする、請求項４に記載の充填システム（１）。
【請求項６】
前記充填システム（１）が、前記ヒートパイプ（２）が置かれる基部（８）上に配置される、前記ヒートパイプ（２）を前記供給ライン（４）と同一直線上にすることを可能にする少なくとも１つの支持部材（１３）を含むことを特徴とする、先行請求項のいずれか一項に記載の充填システム（１）。
【請求項７】
前記充填システム（１）が、断熱性の支持部材（１３）を含むことを特徴とする、請求項６に記載の充填システム（１）。
【請求項８】
前記充填システム（１）が、前記チャンバー（１０）内に取り外せる方式で装着される反射部材（１１）を含むことを特徴とする、請求項２から７のいずれか一項に記載の充填システム（１）。
【請求項９】
前記充填システム（１）が、チャンバー（１０）内に接着されて装着される反射部材（１１）を含むことを特徴とする、請求項１から７のいずれか一項に記載の充填システム（１）。
【請求項１０】
前記充填システム（１）が、前記ヒートパイプ（２）及び前記供給ライン（４）を接続可能な管継手接続特性を有する接続部材（１４）を含むことを特徴とする、先行請求項のいずれか一項に記載の充填システム（１）。
【請求項１１】
前記充填システム（１）が、前記チャンバー（１０）の基部（８）上に前記ヒートパイプ（２）が置かれたときに、該ヒートパイプ（２）に対向する加熱器（７）を含むことを特徴とする、先行請求項のいずれか一項に記載の充填システム（１）。
【請求項１２】
前記充填システム（１）が、前記供給ライン（４）又は前記ヒートパイプ（２）上に配置され、温度を測定する少なくとも１つの熱計（１５）と、該熱計（１５）から得られる温度情報に応じて前記加熱器（７）の温度を調整する少なくとも１つの制御部（１６）と、を含むことを特徴とする、先行請求項のいずれか一項に記載の充填システム（１）。
【請求項１３】
前記充填システム（１）が、Ｕ字形のチャンバー（１０）を含むことを特徴とする、先行請求項のいずれか一項に記載の充填システム（１）。
【請求項１４】
前記充填システム（１）が、熱移動のために宇宙機及び／又は航空機で利用されるヒートパイプ（２）を含むことを特徴とする、先行請求項のいずれか一項に記載の充填システム（１）。
【発明の詳細な説明】
【技術分野】
【０００１】
本発明は、宇宙機及び／又は航空機に提供されたヒートパイプにアンモニアを充填することを可能にする充填システムに関する。
【背景技術】
【０００２】
ヒートパイプは、生じた熱を移動するために宇宙機及び／又は航空機で利用される。これらのヒートパイプでは、流体を用いて熱供給が行われる、ここで、アンモニアは、これらの流体の中で主流の流体である。宇宙機及び／又は航空機での熱移動のために利用されるヒートパイプにアンモニアを充填する動作は、高精度に行われる。ヒートパイプ内のアンモニアの量は、ヒートパイプにより可能になる熱移動に影響を与える。したがって、ヒートパイプにアンモニアを充填する動作を正確及び省エネルギー方式の両方で行うことは重要である。
【発明の概要】
【発明が解決しようとする課題】
【０００３】
このような典型的な充填システムは、公表された特許出願ＵＳ  ４８８１５８０  Ａ号に開示されており、ここで、該文書は、ヒートパイプ及び同様の密閉キャリア（ｃｌｏｓｅｄ  ｃａｒｒｉｅｒ）のための充填及び排出の両方の動作を行うシステムに言及している。ここで、純粋な流体として、水、アンモニア、アルコール、及びハロゲン系炭化水素がヒートパイプ内で使用されてもよい。適切な量で選択された純粋な流体は、弁を介してヒートパイプに制御可能に充填される。しかしながら、宇宙機及び／又は航空機のために要求される高精度の充填動作を提供すること及び充填動作中に所望のエネルギー効率を得ることは可能ではない。
【０００４】
公知の技術では、アンモニア気体の流れの充填も圧縮機又は冷却タンクを使用することにより行われるが、これらの実施はコストを増加させる。
【課題を解決するための手段】
【０００５】
本発明による充填システムは、熱移動のために使用される少なくとも１つのヒートパイプと、純粋なアンモニアを飽和蒸気として室温で貯蔵することができる少なくとも１つのアンモニア管と、アンモニア管からヒートパイプにアンモニアを移動することが可能で、ヒートパイプが取り外し可能に係合している少なくとも１つの供給ラインと、供給ライン上に配置され、アンモニアの流れを制御させる少なくとも１つの弁と、供給ライン上に配置され、真空引き及び／又は封止（ｓｅａｌｉｎｇ）試験に使用される少なくとも１つの検出器、及びヒートパイプの温度を上昇させる少なくとも１つの加熱器と、を含む。
【０００６】
本発明の充填システムは、基部と、互いに対向して基部から表面上に延びる少なくとも２つの壁を有する少なくとも１つのチャンバーと、を含み、ヒートパイプがチャンバーに沿って延びるように、チャンバー内に置かれたとき、ヒートパイプは壁の間にとどまり、加熱器によりチャンバー内に熱が放射されたとき、加熱器により壁の内側によってヒートパイプに放射された熱を反射する。
【０００７】
本発明の充填システムは、気相のアンモニアが存在するアンモニア管からアンモニアを供給ラインに供給する。アンモニアは、少なくとも１つの弁により、供給ラインからヒートパイプへ制御可能に移動される。ヒートパイプ内に気相で送り込まれ、ヒートパイプを冷却するとすぐに、ヒートパイプ内でアンモニアが液相に変化し、それによりヒートパイプにアンモニアを充填する動作を行う。該冷却動作はチャンバー内で処理される。
【０００８】
本発明のある実施形態では、充填システムは、チャンバー内に配置され、熱を反射することができる少なくとも１つの反射部材を含む。好ましくは、熱反射性の明るい表面を有する反射部材の助けで加熱器により放射される熱が、効率的な方法でヒートパイプを加熱することを可能にすることができる。これは、エネルギー及び加熱時間を節約することを提供する。
【０００９】
本発明の別の実施形態では、加熱器は、赤外線により加熱することができるようなタイプである。これのおかげで、より早く及び効果的な加熱が提供される。
【００１０】
本発明のある実施形態では、充填システムは、ヒートパイプを冷却したいときに、チャンバー内に位置し、ヒートパイプを冷却するためにヒートパイプ上に置かれる少なくとも１つの冷却部材を含む。ヒートパイプへの充填動作中、アンモニアのための冷却部材を介してヒートパイプは冷却されて、液相に変えられる。冷却部材は、ヒートパイプを冷却するためにヒートパイプ上に置かれる。好ましくは、冷却部材は、冷却部材がアンモニア充填を行わない端部からアンモニア充填を行う端部に向かって冷却動作を行うようにヒートパイプ内に置かれる。これは、効率的な方法で、ヒートパイプにアンモニアを充填することを提供する。
【００１１】
本発明の別の実施形態では、冷却部材は、二酸化炭素の固相であるドライアイスである。
【００１２】
本発明のある実施形態では、チャンバーは、ヒートパイプが置かれる基部上に配置され、パイプが供給ラインと同じ方向に位置することを可能にする少なくとも１つの支持部材を含む。支持部材は、ヒートパイプ及び供給ラインを同一直線上に接続することを可能にする。好ましくは、支持部材は、位置調整可能な方式で基部上に提供されるか、固定及び基部と一体になる（ｓｉｎｇｌｅ−ｐｉｅｃｅ）方法で基部上に提供される。
【００１３】
本発明のさらなる実施形態では、支持部材は熱伝導性ではない。これは、効率的な方法でヒートパイプに熱を移動することを提供する。
【００１４】
本発明の別の実施形態では、充填システムは、チャンバーに取り付けることができ、チャンバーから取り外せる、反射部材を有する。これは、望むときに反射部材をチャンバーに対して取り付け及びチャンバーから取り外すことを可能にする。
【００１５】
本発明の別の実施形態では、充填システムは、チャンバーの内側に接着されることにより装着される反射部材を含む。これのおかげで、反射部材がチャンバー内に固定的に提供される。
【００１６】
本発明のある実施形態では、充填システムは、ヒートパイプ及び管式の供給ラインを接続することを可能にする管継手接続特性（ｔｕｂｅ−ｆｉｔｔｉｎｇ  ｃｏｎｎｅｃｔｉｏｎ  ｆｅａｔｕｒｅ）を有する接続部材を含む。好ましくは、管状接続部は、ナットにより締め付けられた口輪（ｆｅｒｒｕｌｅ）を介して互いに堅固に接続される。これのおかげで、高圧値下の接続点で安全に封止が提供される。したがって、ヒートパイプにアンモニアを充填することがより効率的な方法で行われる。
【００１７】
本発明の別の実施形態では、充填システムは、ヒートパイプがチャンバーの基部上に置かれたときにヒートパイプに対抗する加熱器を含む。これは、ヒートパイプへの熱移動のためのエネルギー効率を提供する。
【００１８】
本発明のある実施形態では、充填システムは、供給ライン又はヒートパイプ上に配置され、温度を測定する少なくとも１つの熱計と、熱計から得られる温度情報に応じて加熱器の温度を制御する少なくとも１つの制御部と、を含む。これは、ヒートパイプの温度を所定の水準に保つことを可能にする。
【００１９】
本発明の別の実施形態では、チャンバー部はＵ字形である。
【００２０】
本発明の別の実施形態では、アンモニア充填システムは、宇宙機及び／又は航空機で利用されるヒートパイプにアンモニアを充填することを提供する。
【００２１】
本発明による充填システムは、アンモニア気体の純度を乱すことなく、ヒートパイプにアンモニアを充填することを可能にする。そのうえ、単一のシステムは、充填及び気体排出の両方の動作を行うことができ、製造プロセス及びコストを削減する。加えて、本発明による発達したシステム及び方法は、ヒートパイプの熱移動容量に悪影響を与えることなく、室内条件で気相であるアンモニアを所望量ヒートパイプに充填することができる。
【００２２】
＜発明の目的＞
本発明の目的は、ヒートパイプにアンモニアを充填することを可能にする充填システムを提供することである。
【００２３】
本発明の別の目的は、純粋なアンモニア気体を、それらの純度を乱すことなく、ヒートパイプに充填することを可能にする充填システムを提供することである。
【００２４】
本発明のさらなる目的は、室内条件で気相であるアンモニア気体を所望量でヒートパイプに充填することを可能にする低コストの充填システムを提供することである。
【００２５】
本発明の更に別の目的は、ヒートパイプの熱移動容量を所望の水準に維持する充填システムを提供することである。
【図面の簡単な説明】
【００２６】
本発明の目的を達成するために実現される充填システムは添付図面に示される、図中：
【図１】図１−充填システムの透視図。
【図２】図２−チャンバー、充填システム及び冷却部材の断面図。
【図３】図３−充填システムの上面透視図。
【図４】図４−充填システムの側面透視図。
【００２７】
図面に示されている全ての部品には個々に参照番号が付されていて、これらの番号の対応する用語は以下のように列挙される：
１．  充填システム
２．  ヒートパイプ
３．  アンモニア管
４．  供給ライン
５．  弁
６．  検出器
７．  加熱器
８．  基部
９．  壁
１０．  チャンバー
１１．  反射部材
１２．  冷却部材
１３．  支持部材
１４．  接続部材
１５．  熱計
１６．  制御部
【００２８】
＜発明の説明＞
充填システム（１）は、熱移動のために使用される少なくとも１つのヒートパイプ（２）と、純粋なアンモニアを飽和蒸気として室温で貯蔵することができる少なくとも１つのアンモニア管（３）と、アンモニア管（３）からヒートパイプ（２）にアンモニアを供給することを可能にし、ヒートパイプ（２）が取り外し可能に係合される少なくとも１つの供給ライン（４）と、供給ライン（４）上に配置され、アンモニアの流れを制御させる少なくとも１つの弁（５）と、供給ライン（４）上に配置され、封止制御を提供する少なくとも１つの検出器（６）、及びヒートパイプ（２）を加熱する少なくとも１つの加熱器（７）と、を含む（図１）。
【００２９】
本発明による充填システム（１）は、基部（８）と、基部（８）から表面上に延びる少なくとも２つの壁（９）を有する少なくとも１つのチャンバー（１０）と、を含み、ヒートパイプ（２）がチャンバー（１０）内に置かれたとき、ヒートパイプ（２）は壁（９）の間にとどまり、加熱器（７）によりチャンバー（１０）内に熱が放射されたとき、加熱器（７）により壁（９）の内側によってヒートパイプ（２）に放射された熱を反射する（図２）。
【００３０】
本発明の充填システム（１）は、ほぼ気相のアンモニアが存在するアンモニア管（３）から供給ライン（４）にアンモニアを供給する。アンモニアは、少なくとも１つの弁（５）により、供給ライン（４）からヒートパイプ（２）に制御可能に供給され得る。パイプ（２）にほぼ気相で供給され、ヒートパイプ（２）を冷却するとすぐに、ヒートパイプ（２）内でアンモニアが液化し、それによって、ヒートパイプ（２）にアンモニアを充填する動作を行う。充填システム（１）において、ヒートパイプ（２）は、チャンバー（１０）にほとんど沿って延びるようにチャンバー内に置かれる。チャンバー（１０）内で冷却動作が処理される。アンモニアが充填される前に、ヒートパイプ（２）は真空引きによる封止評価を受ける。検出器（６）を介して処理される封止評価中、ヒートパイプ（２）内の気体をほぼ完全に真空引きするために、加熱器（７）によりヒートパイプ（２）が加熱される。ヒートパイプ（２）が配置されたチャンバー（１０）のおかげで、ヒートパイプ（２）の加熱及び冷却動作はより効率的な方法で行われ得る。
【００３１】
本発明のある実施形態では、充填システム（１）は、チャンバー（１０）内に配置され、熱を反射することができる少なくとも１つの反射部材（１１）を含む。好ましくは、明るい表面を有する反射部材（１１）の助けで、加熱器（７）により放射される熱が、効率的な方法でヒートパイプ（２）を加熱することを可能にする。これは、エネルギー及び加熱時間を節約することを提供する。
【００３２】
本発明の別の実施形態では、充填システム（１）は、赤外線により加熱する加熱器（７）を含む。これは、加熱時間を短くする。
【００３３】
本発明のある実施形態では、充填システム（１）は、ヒートパイプ（２）を冷却したいときに、チャンバー（１０）の内部に位置し、ヒートパイプ（２）と接触してヒートパイプ（２）を冷却する少なくとも１つの冷却部材（１２）を含む。ヒートパイプ（２）への充填動作中に、アンモニアのための冷却部材（１２）を介してヒートパイプ（２）は冷却されて、液相に変えられる。冷却部材（１２）は、ヒートパイプ（２）を冷却するためにチャンバー（１０）内に置かれる。これは、効率的な方法でヒートパイプ（２）を冷却することを提供する。
【００３４】
本発明の別の実施形態では、冷却部材（１２）はドライアイスである。これは、ヒートパイプ（２）の所望の領域又は全領域を冷却することを可能にする。
【００３５】
本発明のある実施形態では、チャンバー（１０）は、ヒートパイプ（２）が置かれる基部（８）上に配置される、ヒートパイプ（２）を供給ライン（４）と同一直線上にすることを可能にする少なくとも１つの支持部材（１３）を含む。支持部材（１３）は、ヒートパイプ（２）及び供給ライン（４）と、を同一直線上で接続することを可能にする。好ましくは、支持部材（１３）は、位置調整可能な方式又は固定及び基部（８）と一体になる方法で基部（８）上に提供される。
【００３６】
本発明の別の実施形態では、支持部材（１３）は断熱性である。これのおかげで、ヒートパイプ（２）に移動される熱効率が増加する。
【００３７】
本発明の別の実施形態では、充填システム（１）は、チャンバー（１０）内に取り外せる方式で装着される反射部材（１１）を有する。これは、望むときに反射部材（１１）をチャンバー（１０）に対して取り付け及びチャンバー（１０）から取り外すことを可能にする。
【００３８】
本発明の別の実施形態では、充填システム（１）は、チャンバー（１０）内に接着されて装着される反射部材（１１）を含む。これにおかげで、反射部材（１１）がチャンバー（１０）内に固定的に提供される。
【００３９】
本発明のある実施形態では、充填システム（１）は、ヒートパイプ（２）及び供給ライン（４）を接続することを可能にする管継手接続特性を有する接続部材（１４）を含む。好ましくは、管式の接続部は、ナットにより締め付けられた口輪を介して互いに堅固に接続される。これのおかげで、高圧値下の接続点で安全に封止が提供される。したがって、より効率的な方法で、ヒートパイプ（２）にアンモニアを充填することが行われる。
【００４０】
本発明の別の実施形態では、充填システム（１）は、ヒートパイプ（２）がチャンバー（１０）の基部（８）上に置かれたときにヒートパイプ（２）に対向する加熱器（７）を含む。これは、ヒートパイプ（２）への熱移動のためのエネルギー効率を提供する。
【００４１】
本発明のある実施形態では、充填システム（１）は、供給ライン（４）又はヒートパイプ（２）上に配置されて温度を測定する少なくとも１つの熱計（１５）と、熱計（１５）から得られる温度情報に応じて加熱器（７）の温度を調整する少なくとも１つの制御部（１６）と、を含む（図３及び図４）。これは、ヒートパイプ（２）の温度を所望の水準で維持することを可能にする。
【００４２】
本発明の別の実施形態では、チャンバー（１０）はＵ字形である。これのおかげで、ヒートパイプ（２）がチャンバー内に容易な方式で置かれ、加熱器（７）がヒートパイプ（２）に対するより効果的な熱移動を行う。
【００４３】
本発明の別の実施形態では、ヒートパイプ（２）は、熱移動のために宇宙機及び／又は航空機で利用される。充填システム（１）は高圧値に抵抗し、ヒートパイプ（２）にアンモニアを効果的な方法で充填することができる。したがって、ヒートパイプ（２）を介して宇宙機及び／又は航空機において効果的な方法で熱移動が行われる。
【００４４】
本発明による充填システムは、アンモニア気体の純度を乱すことなく、ヒートパイプ（２）にアンモニアを充填することを可能にする。その上、単一のシステムは、充填及び気体排出の両方の動作を行うことができ、それによって、製造プロセス及びコストを削減する。加えて、本発明によるシステム（１）は、ヒートパイプ（２）の熱移動容量に悪影響を与えることなく、室内条件で気相であるアンモニアを所望量ヒートパイプ（２）に充填することができる。
【図１】
2021517228.tif 000003
【図２】
2021517228.tif 000004
【図３】
2021517228.tif 000005
【図４】
2021517228.tif 000006
【国際調査報告】
2021517228.tif 000007
2021517228.tif 000008